(57)【特許請求の範囲】
【請求項１】
各々内線端末が接続できる複数の内線を収容し、少なくとも１つの外線を接続可能な構内交換装置であって、
現在時刻を計時するタイマと、
前記タイマの時刻の変更を検出し、その検出信号を発生する時刻変更検出手段と、
前記検出信号に応答して、基準値からの変更量に相当する差分積算値を記憶する第１の記憶手段と、
前記発信元内線毎に、通話料金の課金集計処理に必要な通話開始時刻情報、終話時刻情報及び差分積算値を記憶可能な第２の記憶手段と、
通話開始時に、前記タイマで計時された通話開始時刻情報及び前記第１の記憶手段に記憶されている差分積算値を発信元内線に対応付けて前記第２の記憶手段に記憶し、終話時に、前記タイマで計時された終話時刻情報と前記第１の記憶手段に記憶されている差分積算値を発信元内線に対応付けて前記第２の記憶手段に記憶する制御手段とを具備することを特徴とする構内交換装置。
【請求項２】
各々内線端末が接続できる複数の内線を収容し、少なくとも１つの外線を接続可能な構内交換装置であって、
現在時刻を計時するタイマと、
前記タイマの時刻の変更を検出し、その検出信号を発生する時刻変更検出手段と、
前記検出信号に応答して、基準値からの変更量に相当する差分積算値を記憶する第１の記憶手段と、
前記発信元内線毎に、通話料金の課金集計処理に必要な情報を記憶可能な第２の記憶手段と、
通話開始時に、前記タイマで計時された通話開始時刻情報及び前記第１の記憶手段に記憶されている差分積算値を発信元内線に対応付けて前記第２の記憶手段に記憶し、終話時に、前記タイマで計時される終話時刻情報と前記第１の記憶手段に記憶されている差分積算値と、前記第２の記憶手段に記憶された通話開始時刻情報及び差分積算値とに基づき前記発信元内線に対し前記課金集計処理に関する制御を行なう制御手段とを具備することを特徴とする構内交換装置。
【請求項３】
現在時刻を計時するタイマ、第１の記憶手段及び第２の記憶手段を有するとともに、各々内線端末が接続できる複数の内線を収容し、少なくとも１つの外線を接続可能である構内交換装置に適用され、発信元内線に対し前記タイマで計時される通話開始時刻情報及び終話時刻情報を基に通話料金の課金集計処理に必要な情報を記憶する課金処理方法であって、
前記タイマで計時された発信時刻情報及び前記第１の記憶手段の記憶情報を発信元内線に対応付けて前記第２の記憶手段に記憶する第１の過程と、
前記タイマの時刻の変更を検出し、その検出信号を発生する第２の過程と、
前記検出信号に応答して、基準値からの変更量に相当する差分積算値を前記第１の記憶手段に記憶する第３の過程と、
前記タイマで計時された終話時刻情報と前記第１の記憶手段に記憶されている差分積算値を発信元内線に対応づけて前記第２の記憶手段に記憶する第４の過程とを具備することを特徴とする課金処理方法。
【請求項４】
現在時刻を計時するタイマ、第１の記憶手段及び第２の記憶手段を有するとともに、各々内線端末が接続できる複数の内線を収容し、少なくとも１つの外線を接続可能である構内交換装置に適用され、発信元内線に対し前記タイマで計時される通話開始時刻情報及び終話時刻情報を基に通話料金の課金集計処理を行う課金処理方法であって、
前記タイマで計時された発信時刻情報及び前記第１の記憶手段の記憶情報を発信元内線に対応付けて前記第２の記憶手段に記憶する第１の過程と、
前記タイマの時刻の変更を検出し、その検出信号を発生する第２の過程と、
前記検出信号に応答して、基準値からの変更量に相当する差分積算値を前記第１の記憶手段に記憶する第３の過程と、
前記タイマで計時された終話時刻情報と前記第１の記憶手段に記憶されている差分積算値と、前記第２の記憶手段に記憶された時刻情報及び差分積算値とに基づき前記発信元内線に対し課金集計処理に関する制御を行なう第４の過程とを具備することを特徴とする課金処理方法。
【発明の詳細な説明】
【０００１】
【発明の属する技術分野】
この発明は、例えばオフィスや事業所等の構内で使用される構内交換装置において、特に１つの内線から外線への発信時に発信元内線に対し課金処理を行なう構内交換装置及び課金処理方法に関する。
【０００２】
【従来の技術】
一般に、現在使用されている構内交換装置は各種のサービス機能を備えており、その１つに課金処理機能がある。この課金処理機能は、構内交換装置内の主記憶部に各通信事業者を示す識別番号情報と、識別番号情報別の料金を示す情報とが登録されたメモリテーブルを設けるとともに、時刻を計時するタイマを備えている。そして、１つの内線から外線への発信時に発信元内線に対しメモリテーブルの登録内容、及びタイマで計時される通話開始時刻と終話時刻との差を基に課金処理を行なう。
【０００３】
ところで、この種の構内交換装置は、様々な事情によりタイマの再設定を行なうことがある。すると、このタイマの再設定をまたがる通話に関する課金計算結果は、実際の通話時間における課金計算結果と異なるものとなる。これを解決するために、タイマの時刻が変更された時点で、存在する全ての呼に関して、構内交換装置内で管理している通話開始時刻を、一斉に書き替える方法も考えられる。
【０００４】
しかしながら、上記方法では、ＣＰＵが通話に関する処理と、時刻の変更による通話開始時刻の一斉書き替え処理と、発信元内線に対する課金集計処理とを行なうため、ＣＰＵの処理負担が増大することになるとともに、時刻の変更による通話開始時刻の一斉書き替えに一定の時間を要することになり、書き替え作業と終話が競合する場合には、課金集計処理を実行する上で大きな障害となる。
【０００５】
【発明が解決しようとする課題】
以上のように従来の構内交換装置では、ＣＰＵによる処理が多いため、通話中に時刻の変更が生じた場合に、ＣＰＵの処理上の負担が大きくなり、課金集計処理を実行する上で大きな障害となるという問題点を有している。
【０００６】
この発明の目的は、通話中に時刻の再設定があった場合でも、発信元内線に対し、時刻の変更による影響を受けない課金処理を行ない得る構内交換装置及び課金処理方法を提供することにある。
【０００７】
【課題を解決するための手段】
第１の本発明に係る構内交換装置は、各々内線端末が接続できる複数の内線を収容し、少なくとも１つの外線を接続可能な構内交換装置であって、現在時刻を計時するタイマと、タイマの時刻の変更を検出し、その検出信号を発生する時刻変更検出手段と、検出信号に応答して、基準値からの変更量に相当する差分積算値を記憶する第１の記憶手段と、発信元内線毎に、通話料金の課金集計処理に必要な通話開始時刻情報、終話時刻情報及び差分積算値を記憶可能な第２の記憶手段と、通話開始時に、タイマで計時された通話開始時刻情報及び第１の記憶手段に記憶されている差分積算値を発信元内線に対応付けて第２の記憶手段に記憶し、終話時に、タイマで計時された終話時刻情報と第１の記憶手段に記憶されている差分積算値を発信元内線に対応付けて第２の記憶手段に記憶する制御手段とを備えるようにしたものである。
【０００８】
この第１の本発明によれば、計時手段の時刻が再設定される毎にその変更量に相当する差分積算値が第１の記憶手段に記憶される。そして、発信時に、課金情報記憶制御手段により、まず、第１の記憶手段に記憶された差分積算値が読み出され、この差分積算値と通話開始時刻情報とが発信元内線に対応づけて第２の記憶手段に記憶される。以後、通話が終了した際に、制御手段により、通話終了時刻情報とその時点で第１の記憶手段に記憶されている差分積算値とが発信元内線に対応づけて第２の記憶手段に記憶される。すなわち、制御手段は、発信時に、その時点の差分積算値を第１の記憶手段から読み出して、この差分積算値と通話開始時刻情報とを発信元内線に対応づけて第２の記憶手段に書き込む処理と、通話終了時に、その時点の差分積算値を第１の記憶手段から読み出して、この差分積算値と通話終了時刻情報とを発信元内線に対応づけて第２の記憶手段に書き込む処理とを行なうだけでよく、発信元内線に対する課金集計処理については、外部装置により第２の記憶手段の記憶内容に基づき行なわせるだけでよい。
【０００９】
このため、従来のように時刻の再設定が生じた場合に全ての呼びに関する通話開始時刻の一斉書き替えを行なう必要がなくなり、これにより時刻再設定によるプロセッサの処理負担が軽減される。従って、時刻再設定による影響を受けることなく発信元内線に対し実際の通話時間に即した通話料金の課金集計処理を行なうことができる。
【００１０】
また、第２の本発明に係る構内交換装置は、各々内線端末が接続できる複数の内線を収容し、少なくとも１つの外線を接続可能な構内交換装置であって、現在時刻を計時するタイマと、タイマの時刻の変更を検出し、その検出信号を発生する時刻変更検出手段と、検出信号に応答して、基準値からの変更量に相当する差分積算値を記憶する第１の記憶手段と、発信元内線毎に、通話料金の課金集計処理に必要な情報を記憶可能な第２の記憶手段と、通話開始時に、タイマで計時された通話開始時刻情報及び第１の記憶手段に記憶されている差分積算値を発信元内線に対応付けて第２の記憶手段に記憶し、終話時に、タイマで計時される終話時刻情報と第１の記憶手段に記憶されている差分積算値と、第２の記憶手段に記憶された通話開始時刻情報及び差分積算値とに基づき前記発信元内線に対し課金集計処理に関する制御を行なう制御手段とを備えるようにしたものである。
【００１１】
この第２の本発明では、時計の時刻が再設定される毎にその変更量に相当する差分積算値が第１の記憶手段に記憶される。そして、通話開始時に、制御手段により、まず、第１の記憶手段に記憶された差分積算値が読み出され、この差分積算値と通話開始時刻情報とが発信元内線に対応づけて第２の記憶手段に記憶される。通話が終了した際に、通話終了時刻情報とその時点で第１の記憶手段に記憶されている差分積算値と、第２の記憶手段に記憶された発信内線における通話開始時刻情報及び差分積算値とに基づいて、発信元内線に対する通話料金の課金集計処理が行われることになる。
【００１２】
すなわち、制御手段は、通話開始時に、その時点の差分積算値を第１の記憶手段から読み出して、この差分積算値と通話開始時刻情報とを発信元内線に対応づけて第２の記憶手段に書き込む処理と、通話終了時に、その時点の差分積算値を第１の記憶手段から読み出すとともに、第２の記憶手段に記憶された通話開始時刻情報及びその時刻の差分積算値を読み出し、これら読み出し情報に基づいて発信元内線に対する通話料金の課金集計処理とを行なうだけでよい。
【００１３】
このため、従来のように時刻の再設定が生じた場合に全ての呼びに関する通話開始時刻の一斉書き替えを行なう必要がなくなり、これにより時刻再設定によるプロセッサの処理負担が軽減され、その負担軽減により発信元内線に対し効率よく通話料金の課金集計処理を行なうことができる。従って、時刻再設定による影響を受けることなく発信元内線に対し実際の通話時間に即した通話料金の課金集計処理を行なうことができる。
【００１４】
【発明の実施の形態】
以下、この発明の実施形態について図面を参照して詳細に説明する。
【００１５】
図１は、この発明に係わる構内交換システムの一実施形態を示す概略構成図である。
【００１６】
この構内交換システムは、同図に示すように、構内交換装置１に、複数（最大ｉ個）の内線端末２（２−１〜２−ｉ）を任意に接続して構成されている。
【００１７】
構内交換装置１は、さらに、タイムスイッチ１１、複数（ｊ個）の局線インタフェース回路１２（１２−１〜１２−ｊ）、複数（ｉ個）の内線インタフェース回路１３（１３−１〜１３−ｉ）、制御部１４、記憶部１５、タイマ（計時手段）１６及びハイウェイインタフェース部１７を備えており、タイムスイッチ１１、局線インタフェース回路１２、内線インタフェース回路１３は、ＰＣＭハイウェイ１８介して互いに接続されている。
【００１８】
また、タイムスイッチ１１、局線インタフェース回路１２、内線インタフェース回路１３及びデータハイウェイインタフェース部１７は、データハイウェイ１９を介して互いに接続されている。さらに、制御部１４、記憶部１５、タイマ１６及びデータハイウェイインタフェース部１７は、ＣＰＵバス２０を介して互いに接続されている。
【００１９】
タイムスイッチ１１は、制御部１４の制御に基づいてＰＣＭハイウェイ１８上のタイムスロットの入れ替えを行なうことによって、局線インタフェース回路１２及び内線インタフェース回路１３を任意に交換接続する。
【００２０】
局線インタフェース回路１２には、公衆回線や専用線などの局線Ｌ（Ｌ−１〜Ｌ−ｊ）が必要に応じて接続される。局線インタフェース回路１２は、接続された局線Ｌに関する局線インタフェース動作を行なう。局線インタフェース動作とは、局線Ｌを介して与えられる音声信号（アナログ）のＰＣＭ信号への変換、タイムスイッチ１１を介して与えられるＰＣＭ信号の音声信号（アナログ）への変換、局線Ｌの状態監視や、局線Ｌを介して接続された網に対する種々の信号の送出などである。また、局線インタフェース回路１２は、上記局線インタフェース動作に係わる種々の制御情報の授受を、データハイウェイ１９、データハイウェイインタフェース部１７及びＣＰＵバス２０を介して制御部１４との間で行なう。
【００２１】
内線インタフェース回路１３には、内線端末２が必要に応じて接続される。内線インタフェース回路１３は、接続された内線端末２に関する内線インタフェース動作を行なう。内線インタフェース動作は、内線端末２から出力されるＰＣＭ信号のＰＣＭハイウェイ１８からの抽出、内線端末２の状態監視や、内線端末２に対する種々の信号の送出などである。また、内線インタフェース回路１３は、上記内線インタフェース動作に係わる種々の制御情報の授受を、データハイウェイ１９、データハイウェイインタフェース部１７及びＣＰＵバス２０を介して制御部１４との間で行なう。
【００２２】
制御部１４は、記憶部１５に格納されている動作プログラムに基づいた処理を行なうことで、タイムスイッチ１１、局線インタフェース回路１２及び内線インタフェース回路１３のそれぞれを総括制御し、構内交換装置１としての動作を実現する。
【００２３】
記憶部１５は、制御部１４の動作プログラムや、その他の永続的に使用される各種のデータを記憶している。
【００２４】
タイマ１６は、現在時刻を計時する。
【００２５】
データハイウェイインタフェース部１７は、データハイウェイ１９とＣＰＵバス２０との間でのデータの授受を行なう。
【００２６】
ところで、この実施形態の制御部１４には、時刻変更検出機能１４１と、課金制御機能１４２とが備えられる。また、記憶部１５には、積算値登録メモリ（第１の記憶手段）１５２と、呼毎情報管理テーブル（第２の記憶手段）１５２とが備えられる。
【００２７】
時刻変更検出機能１４１は、再設定によるタイマ１６の時刻の変更を検出し、この検出毎に基準値「０」からの変更量に相当する差分積算値を記憶部１５の積算値登録メモリ１５１に上書きする。
【００２８】
課金制御機能１４２は、例えば内線端末２−１から局線Ｌ−１への発信時に、その時点でタイマ１６で計時された時刻情報及び積算値登録メモリ１５１に記憶されている差分積算値を発信元の内線端末２−１に対応づけて呼毎情報管理テーブル１５２に記憶する。そして、通話が終了した際に、その時点でタイマ１６で計時された時刻情報と積算値登録メモリ１５１に記憶されている差分積算値と、呼毎情報管理テーブル１５２に記憶された通話時刻情報及び差分積算値とに基づき発信元の内線端末２−１に対し課金集計処理に関する制御を行なう。
【００２９】
なお、呼毎情報管理テーブル１５２は、図２に示すように、内線端末２に割り当てられた呼番号に対応づけて通話開始時刻と通話開始時積算データとを記憶するためのテーブルである。
【００３０】
また、制御部１４には、インタフェース２１を介して通話料金課金装置２２が接続される。通話料金課金装置２２は、外部から供給される所定の指示データに応じて、呼毎情報管理テーブル１５２に記憶された通話時間情報及び差分積算値に基づき発信元の内線端末２−１に対し課金集計処理を選択的に行う。なお、インタフェース２１には、例えばＲＳ２３２Ｃが使用される。
【００３１】
以上のように構成されたシステムの動作について説明する。
例えば内線端末２−１から発呼がなされると、制御部１４は、どの内線電話番号、つまり呼番号の内線であるかを認識し、発呼内線から例えば局線Ｌ−１へ接続するための特番をダイヤルされた段階で、先の認識した呼番号を呼毎情報管理テーブル１５２の呼番号欄に登録する。そして、相手が応答すると、制御部１４は、タイマ１６の時刻を呼毎情報管理テーブル１５２の通話開始時刻欄に発信元内線に対応づけて登録する。
【００３２】
以後、相手または発信元の内線端末２−１のいずれかがオンフックされた際に、回線が切断され時点で、制御部１４はその通話終了時刻と呼毎情報管理テーブル１５２に登録された通話開始時刻とに基づき、内線端末２−１に対し通話料金の課金集計処理を行なう。
【００３３】
しかしながら、通話中にタイマ１６で計時される時刻が再設定されると、タイマ１６の時刻変更をまたがる通話に関する課金計算結果と、実際の通話時間における課金計算結果とが異なることとなり、これを解消するためには、制御部１４が呼毎情報管理テーブル１５２に登録された全ての通話開始時刻に時刻変動量を加算しなければならず、制御部１４の処理負担が増大する。そこで、この実施形態では、時刻変更による差分積算値を登録するための積算値登録メモリ１５１を用意するとともに、呼毎情報管理テーブル１５２に通話開始時の差分積算値を書き込むための通話開始時積算データ欄を余分に設けるようにしている。
【００３４】
図３は、時刻変更による課金集計処理を行なうための制御部１４による制御手順及び制御内容を示すフローチャートである。
【００３５】
例えば内線端末２−１から局線Ｌ−１へ発呼がなされることで、制御部１４は図３に示すような制御処理を開始する。
【００３６】
この制御処理を開始すると、制御部１４は、まず発信元の内線端末２−１の呼番号とタイマ１６で計時される通話開始時刻とを呼毎情報管理テーブル１５２に登録する（ステップＳＴ１）。
【００３７】
続いて制御部１４は、積算値登録メモリ１５１に記憶されている差分積算値を呼毎情報管理テーブル１５２に発信元に対応づけて登録する（ステップＳＴ２）。なお、積算値登録メモリ１５１は、システムに１つあればよい。
【００３８】
そして、制御部１４は、タイマ１６の時刻が変更されたか否かの判断を行なう（ステップＳＴ３）。そして、時刻が変更されたならば（ＹＥＳ）、制御部１４は、基準値「０」からの時刻変更量に相当する差分積算値を積算値登録メモリ１５１に上書きする（ステップＳＴ４）。
【００３９】
続いて制御部１４は、相手または発信元の内線端末２−１のいずれかがオンフックされたか否かの判断を行ない（ステップＳＴ５）、オンフックされるまでステップＳＴ３乃至ステップＳＴ５の処理を繰り返し実行する。
【００４０】
そして制御部１４は、オンフックされたことを検出したならば（ＹＥＳ）、呼毎情報管理テーブル１５２から内線端末２−１に対応する通話開始時刻情報及び差分積算値を読み出すとともに、積算値登録メモリ１５１から通話終了時点の差分積算値を読み出し、これら読み出し情報に基づき発信元の内線端末２−１に対する通話料金の課金集計処理を実行する（ステップＳＴ６）。
【００４１】
上記課金集計処理について、図４を参照して具体的に説明する。なお、図４（ａ）はタイマ１６で計時される時刻情報を示し、図４（ｂ）はタイマ１６における時刻の変更量を示し、図４（ｃ）はタイマ１６による時刻変更毎に積算値登録メモリ１５１に上書きされる「０」からの差分積算値を示している。
【００４２】
仮に内線端末２−１を呼Ａとしたとする。そして、制御部１４で計算される呼Ａに関する実際の通話時間は、タイマ１６で計時される通話開始時刻を「１１：５５」、タイマ１６で計時される通話終了時刻を「１３：０５」、通話開始時の積算値登録メモリ１５１の差分積算値を「０」、通話終了時の積算値登録メモリ１５１の差分積算値を「＋３０」とそれぞれ示すならば、
１３：０５−１１：５５−（＋３０−０）＝４０（分）
となる。
【００４３】
また、内線端末２−２を呼Ｂとしたとする。そして、制御部１４で計算される呼Ｂに関する実際の通話時間は、タイマ１６で計時される通話開始時刻を「１１：５５」、タイマ１６で計時される通話終了時刻を「１２：２５」、通話開始時の積算値登録メモリ１５１の差分積算値を「０」、通話終了時の積算値登録メモリ１５１の差分積算値を「＋１０」とそれぞれ示すならば、
１２：２５−１１：５５−（＋１０−０）＝２０（分）
となる。
【００４４】
また、内線端末２−３を呼Ｃとしたとする。そして、制御部１４で計算される呼Ｃに関する実際の通話時間は、タイマ１６で計時される通話開始時刻を「１２：０５」、タイマ１６で計時される通話終了時刻を「１１：５５」、通話開始時の積算値登録メモリ１５１の差分積算値を「０」、通話終了時の積算値登録メモリ１５１の差分積算値を「−３０」とそれぞれ示すならば、
１１：５５−１２：０５−（−３０−０）＝２０（分）
となる。
【００４５】
さらに、内線端末２−４を呼Ｄとしたとする。そして、制御部１４で計算される呼Ｄに関する実際の通話時間は、タイマ１６で計時される通話開始時刻を「１２：２５」、タイマ１６で計時される通話終了時刻を「１１：５５」、通話開始時の積算値登録メモリ１５１の差分積算値を「＋１０」、通話終了時の積算値登録メモリ１５１の差分積算値を「−３０」とそれぞれ示すならば、
１１：５５−１２：２５−（−３０−１０）＝１０（分）
となる。
【００４６】
ここで、上記差分積算値は、設定可能な時刻の範囲で有限であるのが一般的である。すなわち差分積算値は、構内交換装置１内で最も大きい（未来）値と、最も小さい（過去）値との差分を管理できるものであれば、十分である。従って、その範囲内でどのような時計再設定を行なおうと、差分積算値は、この範囲内に収まる。
【００４７】
以上のように上記実施形態では、構内交換装置１において、再設定によりタイマ１６の時刻が変更される毎に基準値「０」からの変更量に相当する差分積算値が記憶部１５の積算値登録メモリ１５１に上書きされる。そして、通話開始時に、制御部１４により、まず、積算値登録メモリ１５１に記憶された差分積算値が読み出され、この差分積算値と通話開始時刻情報とが発信元内線に対応づけて呼毎情報管理テーブル１５２に記憶される。以後、通話が終了した際に、制御部１４により、通話終了時刻情報とその時点で積算値登録メモリ１５１に記憶されている差分積算値と、呼毎情報管理テーブル１５２に記憶された発信内線における通話開始時刻情報及び差分積算値とに基づいて、発信元内線に対する通話料金の課金集計処理が行われることになる。
【００４８】
すなわち、通話開始時に、制御部１４がＣＰＵバス２０にアクセスするのは、通話開始時の差分積算値を積算値登録メモリ１５１から読み出して、この差分積算値と通話開始時刻情報とを発信元内線に対応づけて呼毎情報管理テーブル１５２に書き込むときと、通話中におけるタイマの時刻変更時に、積算値登録メモリ１５１に時刻変更による差分積算値を上書きするときと、通話終了時に、その時点の差分積算値を積算値登録メモリ１５１から読み出すとともに、呼毎情報管理テーブル１５２に記憶された通話開始時刻情報及びその時刻の差分積算値を読み出すときだけである。それ以外の時間は各呼に対する通話料金の課金集計処理、外部装置との通信処理などに充てることができる。
【００４９】
従って上記実施形態によれば、従来のように時刻の再設定が生じた場合に全ての呼びに関する通話開始時刻の一斉書き替えを行なう必要がなくなり、これにより時刻変更による制御部１４の処理負担が軽減され、その負担軽減により発信元内線に対し効率よく通話料金の課金集計処理を行なうことができる。よって、時刻変更による影響を受けることなく発信元内線に対し実際の通話時間に即した通話料金の課金集計処理を行なうことができる。
【００５０】
また、上記実施形態では、タイマ１６の時刻変更が生じる毎に、その変更による差分積算値が積算値登録メモリ１５１に上書きされ、課金集計処理時に、制御部１４により通話開始時に呼毎情報管理テーブル１５２に登録した差分積算値と、通話終了時に積算値登録メモリ１５１に記憶されている差分積算値とを用いて発信元内線に対する通話料金の課金集計処理を行なうようにしているので、時刻変更用のタイマを別途用意する必要がなく、タイマ１６のみを備えていればよい。よって、時刻変更に対応できるようにするために、構内交換装置１の構成が複雑とならずに済む。
【００５１】
さらに、上記実施形態では、通話開始時に、その開始時刻とその時点の差分積算値を呼毎情報管理テーブル１５２に発信元内線に対応づけて登録しておき、通話終了時に、その時点で積算値登録メモリ１５１に記憶されている差分積算値と、既に呼毎情報管理テーブル１５２に登録してある通話開始時刻とその時点の差分積算値とを用いて発信元内線に対し通話料金の課金集計処理を行なうだけでよいため、タイマ１６の時刻変更を無限回行なうことができる。
【００５２】
なお、上記実施形態では、制御部１４で発信元内線に対する通話料金の課金集計処理を行なう例について説明したが、発信元内線に対する課金集計処理のみを、通話料金課金装置２２で行なわせるようにしてもよい。この場合、制御部１４は、通話開始時の差分積算値を積算値登録メモリ１５１から読み出して、この差分積算値と通話開始時刻情報とを発信元内線に対応づけて呼毎情報管理テーブル１５２に書き込む処理と、通話中におけるタイマの時刻変更時に、積算値登録メモリ１５１に時刻変更による差分積算値を上書きする処理と、通話終了時に、その時点の差分積算値を積算値登録メモリ１５１から読み出して、この差分積算値と通話終了時刻情報とを発信元内線に対応づけて呼毎情報管理テーブル１５２に書き込む処理とを行なうだけでよい。このようにすることにより、発信元内線に対する課金集計処理を、通話料金課金装置２２により呼毎情報管理テーブル１５２の記憶内容に基づき行なわせることができる。
【００５３】
また、上記実施形態では、制御部１４で、タイマ１６の時刻変更による差分積算値を積算値登録メモリ１５１に上書きするようにしているが、タイマ１６の時刻変更に連動して積算値登録メモリ１５１に自動的に上書きできるようにしてもよい。このようにすれば、制御部１４の処理負担を一層軽くすることができ、これにより、課金集計処理のリアルタイム性を向上させることが可能になる。
【００５４】
この他、構内交換装置の構成、内線端末の種類、制御部の機能、記憶部の構成、タイマの種類、課金集計処理の制御手順等についても、この発明の要旨を逸脱しない範囲で種々変形して実施可能である。
【００５５】
【発明の効果】
以上詳述したようにこの発明では、記憶部に、時刻の変更が検出される毎に、基準値からの変更量に相当する差分積算値を記憶する積算値登録メモリと、内線毎に、課金集計処理に必要な情報を記憶可能な呼毎情報管理テーブルとを設け、制御部において、内線から外線への発信時に、その時点でタイマで計時された時刻情報及び積算値登録メモリに記憶されている差分積算値を発信元内線に対応づけて呼毎情報管理テーブルに記憶し、通話が終了した際に、その時点でタイマで計時された時刻情報と積算値登録メモリに記憶されている差分積算値と、呼毎情報管理テーブルに記憶された時刻情報及び差分積算値とに基づき発信元内線に対し課金集計処理に関する制御を行なうようにしている。
【００５６】
従ってこの発明によれば、通話中に時刻の再設定があった場合でも、発信元内線に対し、時刻の変更による影響を受けない課金処理を行ない得る構内交換装置及び課金処理方法を提供することができる。
【図面の簡単な説明】
【図１】この発明の構内交換装置を使用した構内交換システムの一実施形態を示す概略構成図。
【図２】図１に示した呼毎情報管理テーブルの構成を示す図。
【図３】図１に示した制御部による課金集計処理の制御手順及び制御内容を説明するために示すフローチャート。
【図４】図１に示した制御部による呼毎の通話時間の計算方法を説明するために示す図。
【符号の説明】
１…構内交換装置、
２（２−１〜２−ｉ）…内線端末、
１１…タイムスイッチ、
１２（１２−１〜１２−ｊ）…局線インタフェース回路、
１３（１３−１〜１３−ｉ）…内線インタフェース回路、
１４…制御部、
１５…記憶部、
１６…タイマ、
１７…データハイウェイインタフェース部、
１８…ＰＣＭハイウェイ、
１９…データハイウェイ、
２０…ＣＰＵバス、
２１…インタフェース、
２２…通話料金課金装置、
１４１…時刻変更検出手段、
１４２…課金制御手段、
１５１…積算値登録メモリ、
１５２…呼毎情報管理テーブル。
【図１】
0003730565.tif 000002
【図２】
0003730565.tif 000003
【図３】
0003730565.tif 000004
【図４】
0003730565.tif 000005